(57)【要約】【課題】  建物の上下階の外壁面材など離間する被取付対象物間に、化粧胴差などの取付対象物を仮固定するための取付対象物保持治具を提供する。【解決手段】  上階側外壁面材１６と化粧面材２０の間の間隙に挿入される上部挿入部２と、下階側外壁面材１８と化粧面材２０の間の間隙に挿入される下部挿入部３と、上部挿入部２と下部挿入部３を繋ぐ連結部４とからなる、鉛直方向に離間する上階側外壁面材１６と下階側外壁面材１８の間に取り付けられる化粧面材２０を、上階側外壁面材１６と下階側外壁面材１８の間に仮固定するための取付対象物保持治具であり、下部挿入部３に、化粧面材２０を押し上げる昇降手段２５が備えられている。【選択図】  図１
2013245512.tif 000002
【特許請求の範囲】
【請求項１】
鉛直方向に離間する第１被取付対象物と第２被取付対象物の間に取り付けられる取付対象物を、第１被取付対象物と第２被取付対象物の間に仮固定するための取付対象物保持治具であって、
第１被取付対象物と取付対象物の間の間隙に挿入される上部挿入部と、
第２被取付対象物と取付対象物の間の間隙に挿入される下部挿入部と、
該上部挿入部と該下部挿入部を繋ぐ連結部とからなり、
該下部挿入部に、取付対象物を押し上げる昇降手段が備えられていることを特徴とする取付対象物保持治具。
【請求項２】
前記連結部が弾力性を有し、上部挿入部と下部挿入部の間に反力が生じる請求項１に記載の取付対象物保持治具。
【請求項３】
前記上部挿入部の少なくとも一方の端部が鉛直上方若しくは下方に屈曲する請求項１又は２に記載の取付対象物保持治具。
【発明の詳細な説明】
【技術分野】
【０００１】
本発明は、離間する被取付対象物間に取付対象物を仮固定するための取付対象物保持治具に関する。
【背景技術】
【０００２】
例えば、建物の上階の外壁面材と下階の外壁面材の間の胴差部に、化粧胴差を取り付ける場合、施工者が、一方の手で化粧胴差を胴差部に押さえながら、もう一方の手で電動ドライバーなどの工具を操作して取り付けることが一般的に行われている。
【先行技術文献】
【特許文献】
【０００３】
【特許文献１】実開平６−４０１８５号公報
【発明の概要】
【発明が解決しようとする課題】
【０００４】
しかし、化粧胴差は建物の外壁材であり重量があるため、施工者が一方の手で胴差部に押さえて保持しながら、さらにもう一方の手で電動ドライバーなどの工具を操作して、化粧胴差を取り付けることは大変な作業となっている。特に、化粧胴差をビスで固定する場合、電動ドライバーの先端にビスを取り付ける工程も必要であり、より一層大変な作業となっている。
【０００５】
本発明は、以上のような問題点に鑑み、建物の上下階の外壁面材など離間する被取付対象物間に、化粧胴差などの取付対象物を仮固定するための取付対象物保持治具を提供することを課題とする。
【課題を解決するための手段】
【０００６】
上記の課題は、鉛直方向に離間する第１被取付対象物と第２被取付対象物の間に取り付けられる取付対象物を、第１被取付対象物と第２被取付対象物の間に仮固定するための取付対象物保持治具であって、
第１被取付対象物と取付対象物の間の間隙に挿入される上部挿入部と、
第２被取付対象物と取付対象物の間の間隙に挿入される下部挿入部と、
該上部挿入部と該下部挿入部を繋ぐ連結部とからなり、
該下部挿入部に、取付対象物を押し上げる昇降手段が備えられていることを特徴とする取付対象物保持治具により解決される。
【０００７】
この取付対象物保持治具は、上部挿入部と下部挿入部を、それぞれ第１被取付対象物と取付対象物の間の間隙及び第２被取付対象物と取付対象物の間の間隙に挿入することで、第１被取付対象物と第２被取付対象物の間に取付対象物を仮保持することができる。
【０００８】
また、取付対象物保持治具の下部挿入部には、取付対象部を押し上げる昇降手段が備えられているので、昇降手段により、取付対象物を押し上げることで、第１被取付対象物と第２被取付対象物の間に取付対象物をしっかりと仮保持することができる。
【０００９】
この仮保持治具を利用することで、第１被取付対象物と第２被取付対象物の間に取付対象物を仮保持することができるので、作業者は取付対象部を手で支持する必要がなく、両手がフリーハンドになるので、両手で電動ドライバーなどの工具を操作して、取付対象部を第１被取付対象物と第２被取付対象物の間に固定することができる。
【００１０】
この取付対象物保持治具において、連結部が弾力性を有し、上部挿入部と下部挿入部の間に反力が生じるようになされているとよい。
【００１１】
上部挿入部と下部挿入部の間に反力が生じるようになされているので、この反力を利用して、取付対象物をしっかりと固定することができる。また、下部挿入部の昇降手段を利用して取付対象物を押し上げた場合であっても、この反力との協働により、取付対象物の保持力を調整することができ、取付対象物を、第１被取付対象物と第２被取付対象物の間にしっかりと保持することができる。
【００１２】
また、この取付対象保持具において、上部挿入部の少なくとも一方の端部が鉛直上方若しくは下方に屈曲するとよい。
【００１３】
上部挿入部の少なくとも一方の端部が鉛直上方若しくは下方に屈曲することができるので、取付対象物を水平方向に間隔をあけて配設する際に、鉛直上方若しくは下方に屈曲した端部が、取付対象物どうしの間隔を確保するための間隔保持部として機能し、取付対象物どうしの間隔を一定に保つことができる。
【発明の効果】
【００１４】
本発明は以上のとおりであるから、建物の上下階の外壁面材など離間する被取付対象物間に、化粧胴差などの取付対象物を仮固定するための取付対象物保持治具を提供することができる。
【図面の簡単な説明】
【００１５】
【図１】図（イ）は、本発明の実施形態である取付対象物保持治具を示す側面図、図（ロ）は、同正面図、図（ハ）は、同斜視図である。
【図２】図（イ）は、取付対象部保持治具の使用状態を示す側面図、図（ロ）は、第１被取付対象物及び第２被取付対象物に取付対象物を取り付ける方法を示す斜視図である。
【図３】図（イ）乃至（ハ）は、取付対象部保持治具の上部挿入部の屈曲用端部の水平状態及び屈曲状態を示す斜視図である。
【図４】図（イ）乃至（ハ）は、昇降手段の作動状態を示す側面図である。
【図５】取付対象部保持治具を用いて、隣り合う化粧面材どうしを水平方向に間隔をあけて配設する状態を示す正面図である。
【発明を実施するための形態】
【００１６】
次に、本発明の実施形態を図面に基づいて説明する。
【００１７】
図１に示す本発明の実施形態である取付対象物保持治具１において、２は上部挿入部、３は下部挿入部、４は連結部である。なお、１５は、取付対象部保持治具１の使用中に、取付対象部保持治具１の落下を防止するために、施工者のベルトや仮設足場等に取付対象部保持治具１を引っ掛けるための係止体である。
【００１８】
取付対象物保持治具１は、図２に示すように、例えば、建物の外壁を構成する第１被取付対象物としての上階側外壁面材１６と第２被取付対象物としての下階側外壁面材１８との間に、取付対象物としての化粧面材２０を、取り付ける場合に化粧面材２０を仮保持するために利用するためのものである。
【００１９】
なお、化粧面材２０の固定は、上階側外壁面材１６の下端部から下方に延出する上階側外壁面材下地材１７と、下階側外壁面材１８の上端部から上方に延出する下階側外壁面材下地材１９に対して、化粧面材２０の周囲に取り付けられた固定金物２１・・・を介して、ビス２２により固定される。
【００２０】
取付対象物保持治具１は、断面視略コの字型をした連結部４の上側端部に上部挿入部２が、下側端部に下部挿入部３が備えられている。連結部４は、剛性のある鋼材からなる連結部本体部５と、弾力性を有する鋼材からなる連結部弾力部６とからなり、連結部弾力部６及び連結部６自体の断面略コの字型の形状により、連結部６が弾力性を有し、上部挿入部２と下部挿入部３の間に反力が生じるようになっている。
【００２１】
図３に示すように、上部挿入部２は、水平方向に延びる断面円型の棒状型をしており、中央本体部２３と中央本体部２３の両端に、鉛直上方及び下方に屈曲可能にピン接合された屈曲用端部２４，２４とからなる。屈曲用端部２４は、中央本体部２３に鉛直上方及び下方に屈曲可能にピン接合されているので、図３（イ）に示すように、中央本体部２３と屈曲用端部２４が直線状にすることもできるし、図３（ロ）に示すように、中央本体部２３に対して屈曲用端部２４が下方に直角に屈曲することもできるし、図３（ハ）に示すように、中央本体部２３に対して屈曲用端部２４が上方に直角に屈曲することもできる。
【００２２】
下部挿入部３は、連結部４の下端側に備えられる平面視Ｕ型の板状体であり、下部挿入部３のＵ型部の間隙には、昇降手段２５の昇降部１４が備えられている。
【００２３】
昇降手段２５は次の構成よりなる。
【００２４】
操作部１１と波状部１２と押圧部１３と昇降部１４からなる略三日月状の作動片８は、略三日月状の凸部にある押圧部１３を連結部４の内側に向けて、連結部４に備えられた付勢手段７により、外側へ付勢されながら、連結部４に固定された支持部９により回動可能に取り付けられている。また、連結部４には、作動片８の波状部１２と係合する係止片１０が回動可能に取り付けられ、作動片８の波状部１２の波状と係止片１０が、順に係合するようになされている。
【００２５】
作動片８は、付勢手段７により付勢される一方、係止片１０と波状部１２との協働により付勢が規制される。付勢手段７の付勢に抗して、作動片８の一方の端部の操作部１１を操作することで、係止片１０と波状部１２との係合が解除され、係止片１０が重力により波状部１２の下側の波状部１２と係合する。波状部１２と係止片１０との係合位置が変わることで、作動片８の傾きが変わり、作動片８のもう一方の端部の昇降部１４が作動片８の傾きにあわせて上昇するようになっている。
【００２６】
連結部６の弾力性による上部挿入部２と下部挿入部３の間に反力と、昇降手段２５との協働により、取付対象物保持治具１は、取付対象物２０をしっかりと保持することができる。
【００２７】
この仮保持治具を利用することで、上階側外壁面材１６と下階側外壁面材１８の間に化粧面材２０を仮保持することができるので、作業者は取付対象部を手で支持する必要がなく、両手がフリーハンドになるので、両手で電動ドライバーなどの工具を操作して、化粧面材２０を上階側外壁面材１６と下階側外壁面材１８の間に固定することができる。
【００２８】
図５に示すように、上部挿入部２の屈曲用端部２４を利用して、隣り合う化粧面材２０どうしを水平方向に間隔をあけて配設する場合には、鉛直下方に屈曲した屈曲用端部２４を、化粧面材２０どうしの間隔を確保するための間隔保持部として利用し、取化粧面材２０どうしの間隔を一定に保つことができる。
【００２９】
以上に、本発明の実施形態を示したが、本発明はこれに限られるものではなく、発明思想を逸脱しない範囲で各種の変更が可能である。例えば、上記の実施形態では、昇降手段として、作動片と付勢手段と係止片により実現される場合について示したが、昇降手段はこれに限定される必要はなく、昇降できるものであればその構成に制限はない。
【００３０】
また、上記の実施例では、本取付対象物保持治具を用いて、上階側外壁面材と下階側外壁面材との間に化粧面材と取り付けた場合について示したが、本取付対象物保持治具の利用対象は、上階側外壁面材と下階側外壁面材との間に化粧面材を取り付ける場合に限られることはなく、２つの被取付対象物間の間に取付対象物を取り付ける際の、取付対象物の仮保持に利用されることはいうまでもなく、取付対象物の形状、取付対象物と被取付対象物との間隙の大きさに応じて、取付対象部保持治具の形状は適宜変更されることはいうまでもない。
【符号の説明】
【００３１】
１・・・取付対象物保持治具
２・・・上部挿入部
３・・・下部挿入部
４・・・連結部
１６・・・上階側外壁面材（第１被取付対象物）
１８・・・下階側外壁面材（第２被取付対象物）
２０・・・化粧面材（取付対象物）
２４・・・屈曲用端部
２５・・・昇降手段
【図１】
2013245512.tif 000003
【図２】
2013245512.tif 000004
【図３】
2013245512.tif 000005
【図４】
2013245512.tif 000006
【図５】
2013245512.tif 000007